(57)【要約】【課題】配電線配電用開閉器の検査を容易に行うことができる配電線用開閉器の検査装置を提供する。【解決手段】配電線用開閉器１に子局を接続するために該開閉器のケースに取り付けられた開閉器側メタルコンセント１１１，１１２，１１２’にケーブルを通して接続される検査側メタルコンセント２０１，２０２Ａ，２０２Ｂと、一対の測定端子２１１，２１２を有するテスタ２１０と、テスタと検査側メタルコンセントの端子群との間に設けられてテスタの一対の測定端子を開閉器のケース内の複数の検査対象物のそれぞれの両端に切換え接続するべくテスタの一対の測定端子と検査側メタルコンセントの端子群との間の接続を切り換える切換えスイッチ２２０とを共通のフレームに取り付けた。【選択図】    図４
2011214929.tif 000002
【特許請求の範囲】
【請求項１】
配電線に対して直列に挿入される電磁スイッチと配電線の電圧または電流を計測する少なくとも一つのセンサとを含む複数の構成要素がケース内に収容され、前記ケース内の構成要素と開閉器子局との間をつなぐケーブルを接続するために設けられていて前記複数の構成要素のそれぞれの両端に接続された端子を含む端子群を有する開閉器側メタルコンセントが前記ケースに取り付けられている配電線用開閉器の前記複数の構成要素を検査対象物として前記ケースの外部から前記開閉器側メタルコンセントを通して検査を行う配電線用開閉器の検査装置であって、
前記開閉器側メタルコンセントの各端子に対応する端子からなる端子群を有して前記開閉器子局が外された状態で前記開閉器側メタルコンセントに検査用ケーブルを通して接続される検査側メタルコンセントと、
一対の測定端子を有して、測定モードを少なくとも電圧測定モードと抵抗値測定モードとに切換えることが可能なテスタと、
前記テスタの一対の測定端子と前記検査側メタルコンセントの端子群との間に設けられて、前記テスタの一対の測定端子を前記検査側メタルコンセントと前記検査用ケーブルと前記開閉器側メタルコンセントとを通して前記複数の検査対象物のそれぞれの両端に切換え接続するべく前記一対の測定端子と前記検査側メタルコンセントの端子群との間の接続を切り換える切換えスイッチと、
前記検査側メタルコンセントと前記テスタと前記切換えスイッチとを支持した共通のフレームと、
を具備していることを特徴とする配電線用開閉器の検査装置。
【請求項２】
前記切換スイッチは、前記テスタと前記検査側メタルコンセントの端子群との間に設けられて前記テスタの一方の測定端子を前記検査用ケーブルと開閉器側メタルコンセントとを通して前記複数の検査対象物のそれぞれの一端に接続されることになる前記検査側メタルコンセントの複数の端子に切換え接続する第１の切換えスイッチエレメントと、前記テスタと前記検査側メタルコンセントの端子群との間に設けられて前記テスタの他方の測定端子を前記検査用ケーブルと開閉器側メタルコンセントとを通して前記複数の検査対象物のそれぞれの他端に接続されることになる前記検査側メタルコンセントの複数の端子に切換え接続する第２の切換えスイッチエレメントとからなり、
前記第１の切換えスイッチエレメント及び第２の切換えスイッチエレメントは、連動して動作するように設けられて、同じ切換え位置にあるときに前記テスタの一対の測定端子を前記検査側メタルコンセントと検査用ケーブルと開閉器側メタルコンセントとを通して同じ検査対象物の一端及び他端に電気的に接続するように構成されていること、
を特徴とする請求項１に記載の配電線用開閉器の検査装置。
【請求項３】
前記開閉器が零相変流器と零相電圧変成器と過電流検出用変流器とを前記センサとして備えていて、前記零相変流器、零相電圧変成器及び過電流検出用変流器をそれぞれ検査対象物とする際に前記一対の測定端子間に接続される負担抵抗が前記切換えスイッチと前記検査側メタルコンセントの端子群との間に設けられていること、
を特徴とする請求項１または２に記載の配電線用開閉器の検査装置。
【請求項４】
前記切換スイッチを切換え操作する操作部の近傍に、前記切換えスイッチが各切換え位置にあるときに前記テスタの測定端子に接続されることになる検査対象物の種別を示す表示が設けられていることを特徴とする請求項１，２または３に記載の配電線用開閉器の検査装置。
【請求項５】
前記テスタは前記フレームに着脱可能に取り付けられていることを特徴とする請求項１，２，３または４に記載の配電線用開閉器の検査装置。
【請求項６】
前記検査側メタルコンセントは、検査の対象とする開閉器が、センサの出力を取り出して子局に与えるための端子群を有する開閉器側計測用メタルコンセントと、前記電磁スイッチの操作回路につながる端子を有する開閉器側操作用メタルコンセントとの２つのメタルコンセントを前記開閉器側メタルコンセントとして備えている場合に備えて、前記開閉器側計測用メタルコンセントに対応する検査側計測用メタルコンセントと、前記開閉器側操作用メタルコンセントに対応する及び検査側操作用メタルコンセントとを前記検査側メタルコンセントとして備えている請求項１ないし５のいずれか一つに記載の配電線用開閉器の検査装置。
【請求項７】
前記検査側操作用メタルコンセントとして、検査の対象とする開閉器のケース内に配電線の２相間の電圧を取り込む電源トランスが内蔵される場合に前記開閉器のケースに取り付けられる開閉器側操作用メタルコンセントに対応する第１の検査側操作用メタルコンセントと、検査の対象とする開閉器のケース内に配電線の２相間の電圧を取り込む電源トランスが内蔵されない場合に前記開閉器のケースに取り付けられる開閉器側操作用メタルコンセントに対応する第２の検査側操作用メタルコンセントとの２つの検査側操作用メタルコンセントが設けられていることを特徴とする請求項６に記載の配電線用開閉器の検査装置。
【発明の詳細な説明】
【技術分野】
【０００１】
本発明は、区分開閉器等として用いられる配電線用開閉器の検査を行う検査装置に関するものである。
【背景技術】
【０００２】
配電系統においては、例えば特許文献１に示されているように、事故時や作業時の停電範囲を縮小したり、事故区間を健全区間から切り離したりするために、配電線に区分開閉器を接続して、配電線を複数の区間に区分している。また各区分開閉器の制御と、変電所等に設置された親局との間の通信とを行わせるため、各開閉器に対して開閉器子局を設けて、各開閉器と開閉器子局との間をケーブルにより接続している。開閉器子局は、電力会社の営業所に設置された親局等、上位の局から与えられる指令に応じてスイッチの投入及び開放を制御する他、開閉器の設置箇所における系統の情報を親局に送信したり、親局と他の開閉器子局との間で行われる通信の中継を行ったりする。
【０００３】
配電用開閉器は、基本的には、配電線に対して直列に接続される電磁スイッチと該電磁スイッチの投入コイルに励磁電流を供給する操作回路とを備えた開閉器であるが、最近では、配電線用開閉器に事故検出機能を持たせるために、各種のセンサを内蔵することが多くなっている。
【０００４】
例えば特許文献１に示された区分開閉器では、負荷電流を開閉するために配電線に対して直列に接続される電磁スイッチの他に、地絡事故発生時に流れる零相電流を検出する零相変流器（ＺＣＴ）と、地絡事故時に発生する零相電圧を検出する零相電圧変成器（ＺＰＤ）と、過電流を検出する変流器とを、配電線の状態を検出するセンサとしてケース内に収容している。
【０００５】
配電系統においては、変電所等に設置された電力会社の営業所に設置された親局等の上位の局と各開閉器の設置箇所との間の通信と、上位の局からの指令に基づく各開閉器の制御とを行わせるため、各配電用開閉器に対して開閉器子局を設けて、各開閉器と開閉器子局との間を接続ケーブルにより接続している。開閉器子局は、上位の局から与えられる指令に応じて開閉器の投入及び開放を制御する他、開閉器の設置箇所における系統の情報を上位の局に送信したり、上位の局と他の開閉器子局との間で行われる通信の中継を行ったりする。
【０００６】
配電線用開閉器を制御するためには、開閉器子局の電源電圧と、設置点（区分点）の両側の配電線電圧の情報とを得るために、設置点の両側の２相間の配電線電圧を取り込む第１及び第２の電源トランスを必要とする。特許文献１に示された区分開閉器では、これらの電源トランスを開閉器のケース外に設けているが、これらの電源トランスを開閉器のケース内に内蔵する場合もある。
【０００７】
各区分開閉器に開閉器子局を接続するため、配電線用開閉器のケースには、該ケース内に収容された零相変流器や零相電圧変成器等の各種センサの出力を取り出すための複数の端子を有する計測用メタルコンセントと、電磁スイッチの操作回路につながる複数の端子を有する操作用メタルコンセントとが開閉器側メタルコンセントとして取り付けられ、開閉器子局に一端が接続された計測用ケーブル及び操作用ケーブルのそれぞれの他端に取り付けられたプラグが、上記操作用メタルコンセント及び計測用メタルコンセントに接続されることにより、開閉器と開閉器子局との間が接続される。
【先行技術文献】
【特許文献】
【０００８】
【特許文献１】特開平８−２２３７８８号公報
【発明の概要】
【発明が解決しようとする課題】
【０００９】
配電線用開閉器においては、電磁スイッチと共にケース内に収容された零相変流器や零相電圧変成器等のセンサの出力を子局側で測定して、開閉器の異常の有無を検出するようにしている。開閉器が正常に動作している場合には特に問題がないが、配電線に異常がない状態で、開閉器が異常動作をした場合には、その原因が開閉器側にあるのか、子局側にあるのかを特定する必要がある。また保守点検時には、開閉器の構成要素の状態を検査する必要がある。
【００１０】
配電用開閉器の内部に異常があるか否かを検査する場合、従来は、開閉器から子局を外した後、作業者がテスタの一対の測定端子を手で持って、両測定端子を開閉器のケースに取り付けられたメタルコンセントの多数の端子群の中から選択した所定の端子に接触させることにより、センサの出力チェックや、構成要素の抵抗値の測定、或いは導通テストなどを行っていた。しかしながら、各種のセンサを内蔵した開閉器に設けられているメタルコンセントは、非常に多くの端子を有しているため、上記のような方法で開閉器の検査を行った場合、テスタの測定端子を当てる箇所を誤って、検査を正しく行うことができないおそれがあった。またテスタの測定端子を手で持ってメタルコンセントの端子に接触させた場合には、その接触抵抗が不安定であるため、抵抗値の測定や電圧の測定を正確に行うことができないおそれがあった。
【００１１】
更に、メタルコンセントの多数の端子の中から選択した一対の端子に、テスタの一対の測定端子を当てる作業は、両手作業で行う必要があるため、開閉器の設置箇所によっては困難を伴うことがあった。特に開閉器が装柱されている場合には、高所での作業となるため、両手作業でテスタの測定端子を扱うことは危険であった。
【００１２】
なお開閉器子局が、開閉器内のセンサの出力を測定する機能と、測定したデータを通信により外部に送信する機能とを有していて、子局が計測している計測値を通信により外部に取り出すことができる場合には、パソコンを用いて子局との間で通信を行って計測値のデータを取得することにより、異常が開閉器側にあるのか、子局側にあるのかを解析することが可能である。しかしながら、子局が計測データを外部に送信する機能を有していない場合にはこのような方法をとることができず、開閉器の検査は、メタルコンセントを通して直接行わざるを得ない。
【００１３】
本発明の目的は、変流器や電圧変成器等のセンサの出力のチェックや、抵抗値の測定、導通チェック等の検査を、テスタの測定端子を手で持ってメタルコンタクトに接触させる作業を伴うことなく、かつ検査箇所を誤るおそれを生じさせることなく行うことができるようにした配電線用開閉器の検査装置を提供することにある。
【課題を解決するための手段】
【００１４】
本発明は、区分開閉器等として用いる配電線用開閉器の検査を行う検査装置に係わるものである。本発明に係わる検査装置により検査を行う開閉器は、配電線に対して直列に挿入される電磁スイッチと配電線の電圧または電流を計測する少なくとも一つのセンサとを含む複数の構成要素をケース内に収容した構成を有するものである。ケースには、その内部の構成要素と開閉器子局との間をつなぐケーブルを接続するために、複数の構成要素のそれぞれの両端に接続された端子を含む端子群を有する開閉器側メタルコンセントが取り付けられている。本発明に係わる検査装置は、上記のような配電線用開閉器のケース内の複数の構成要素を検査対象物として、これらの検査対象物のテスタによる検査を、ケースの外部から開閉器側メタルコンセントを通して行うものである。
【００１５】
本発明においては、開閉器側メタルコンセントの各端子に対応する端子からなる端子群を有して開閉器子局が外された状態で開閉器側メタルコンセントに検査用ケーブルを通して接続される検査側メタルコンセントと、一対の測定端子を有して、測定モードを少なくとも電圧測定モードと抵抗値測定モードとに切換えることが可能なテスタと、テスタと検査側メタルコンセントの端子群との間に設けられて、テスタの一対の測定端子を検査側メタルコンセントと検査用ケーブルと開閉器側メタルコンセントとを通して複数の検査対象物のそれぞれの両端に切換え接続するべくテスタの一対の測定端子と検査側メタルコンセントの端子群との間の接続を切り換える切換えスイッチとを設けて、これら検査側メタルコンセント、テスタ及び切換えスイッチを共通のフレームに支持した。
【００１６】
上記のように構成すると、テスタの測定端子を手で持って開閉器のメタルコンタクトの端子にいちいち接触させる作業を行うことなく、かつ検査箇所を誤るおそれを生じさせることなく、変流器や電圧変成器等のセンサの出力のチェックや、抵抗値の測定、導通チェック等の検査を行うことができる。
【００１７】
また上記のように構成すると、テスタの測定端子はメタルコンセントを通して開閉器の各検査対象物に確実に接続されるので、測定端子を手で持ってメタルコンセントの端子に接触させる場合のように、測定端子と検査対象物との電気的な接続状態が不安定になって抵抗値の測定に誤差が生じたり、電圧の測定誤差が大きくなったりするのを防ぐことができ、検査を正確に行うことができる。
【００１８】
上記切換スイッチは、テスタと検査側メタルコンセントの端子群との間に設けられてテスタの一方の測定端子を検査用ケーブルと開閉器側メタルコンセントとを通して複数の検査対象物のそれぞれの一端に接続されることになる検査側メタルコンセントの複数の端子に切換え接続する第１の切換えスイッチエレメントと、テスタと検査側メタルコンセントの端子群との間に設けられてテスタの他方の測定端子を検査用ケーブルと開閉器側メタルコンセントとを通して複数の検査対象物のそれぞれの他端に接続されることになる検査側メタルコンセントの複数の端子に切換え接続する第２の切換えスイッチエレメントとにより構成することができる。この場合、第１の切換えスイッチエレメント及び第２の切換えスイッチエレメントは、連動して動作するように設けられて、同じ切換え位置にあるときにテスタの一対の測定端子を検査側メタルコンセントと検査用ケーブルと開閉器側メタルコンセントとを通して同じ検査対象物の一端及び他端に電気的に接続するように構成される。
【００１９】
本発明の好ましい態様では、検査の対象とする開閉器が、零相変流器と零相電圧変成器と過電流検出用変流器とをセンサとして備えている場合に、零相変流器、零相電圧変成器及び過電流検出用変流器をそれぞれ検査対象物とする際に一対の測定端子間に接続される負担抵抗が、切換えスイッチと前記検査側メタルコンセントの端子群との間に設けられている。
【００２０】
上記のように負担抵抗を設けておくと、零相変流器、零相電圧変成器及び過電流検出用変流器の出力電圧のチェックを正確に行うことができる。
【００２１】
本発明の好ましい態様では、切換スイッチを切換え操作する操作部の近傍に、切換えスイッチが各切換え位置にあるときにテスタの測定端子に接続されることになる検査対象物の種別を示す表示が設けられている。
【００２２】
上記のような表示を設けておくと、テスタに接続されている検査対象物が何であるかを作業者に知らせることができるため、各検査対象物に対する検査項目を誤るおそれを無くすことができる。
【００２３】
本発明の他の好ましい態様では、上記テスタが、フレームに着脱可能に取り付けられる。
【００２４】
テスタをフレームに着脱可能に取り付けておくと、テスタをフレームから外して単独で使用することもできる。また検査の際に測定のレンジが異なる複数種類のテスタを必要とする際に、テスタの交換を容易に行うことができる。テスタとしては、所定の精度を有する汎用のテスタ(マルチメータ）を用いることができる。
【００２５】
本発明が検査の対象とする開閉器のケース側に取り付けられている開閉器側メタルコンセントは、単一のメタルコンセントからなっていてもよく、複数のメタルコンセントからなっていてもよい。
【００２６】
多くの場合、開閉器に開閉器子局を接続するために設けられる開閉器側メタルコンセントは、センサの出力を取り出して子局に与えるための端子群を有する開閉器側計測用メタルコンセントと、電磁スイッチの操作回路につながる端子群を有する開閉器側操作用メタルコンセントとの２つのメタルコンセントにより構成される。開閉器のケース内に、配電線の２相間の電圧を取り込む電源トランスが内蔵される場合には、開閉器側操作用メタルコンセントに、操作回路につながる端子と共に、電源トランスの出力端子につながる端子群が設けられる。上記のように、開閉器側メタルコンセントが、開閉器側計測用メタルコンセントと開閉器側操作用メタルコンセントとの２つのメタルコンセントからなる場合には、開閉器側計測用メタルコンセント及び開閉器側操作用メタルコンセントにそれぞれ対応する検査側計測用メタルコンセント及び検査側操作用メタルコンセントにより検査側メタルコンセントを構成するのが好ましい。
【００２７】
また開閉器のケース内に電源トランスが内蔵される場合と内蔵されない場合との双方に対応し得るようにするために、検査装置側に設ける検査側操作用メタルコンセントとして、開閉器のケース内に電源トランスが内蔵される場合に対応する第１の検査側操作用メタルコンセントと、開閉器のケース内に電源トランスが内蔵されない場合に対応する第２の検査側操作用メタルコンセントとの２つの検査側操作用メタルコンセントを設けておくのが好ましい。このように構成しておくと、ケース内に電源トランスを内蔵した開閉器と、ケース内に電源トランスを設けない開閉器との双方の型式の開閉器の検査を同じ検査装置を用いて行うことができるため、検査装置の汎用性を高めることができる。
【発明の効果】
【００２８】
本発明によれば、変流器や電圧変成器等のセンサの出力のチェックや、抵抗値の測定、導通チェック等の検査を、テスタの測定端子をメタルコンタクトにいちいち接触させる作業を伴うことなく、かつ検査箇所を誤ったり検査項目を誤ったりするおそれを生じさせることなく行うことができる。
【００２９】
また本発明によれば、テスタの測定端子をメタルコンセントを通して開閉器の各検査対象物に確実に接続することができるので、測定端子を手で持ってメタルコンセントの端子に接触させる場合のように、測定端子と検査対象物との電気的な接続状態が不安定になって抵抗値の測定に誤差が生じたり、電圧値の測定誤差が大きくなったりするのを防ぐことができ、検査を正確に行うことができる。
【図面の簡単な説明】
【００３０】
【図１】本発明の一実施形態に係わる検査装置を開閉器に接続した状態の一例を示した正面図である。
【図２】図１に示した検査装置の側面図である。
【図３】同検査装置の上面図である。
【図４】本発明の一実施形態に係わる検査装置の回路構成を、検査の対象とする開閉器の回路構成と共に示した回路図である。
【発明を実施するための形態】
【００３１】
図１ないし図３は、本発明の一実施形態に係わる検査装置の外観と、同検査装置により検査を行う配電線用開閉器の外観の一例とを示している。図１において、１は区分開閉器として用いることができるように構成された配電線用開閉器、２は本発明に係わる検査装置である。開閉器１は、配電線を流れる負荷電流を開閉する電磁スイッチと、この電磁スイッチの操作回路と、零相変流器、零相電圧変成器及び過電流検出用変流器等のセンサと、配電線電圧を取り込む電源変圧器とを含む構成要素を金属製のケース１０１内に収容した構造を有する。ケース１０１は下端が開口した上部ケース１０１Ａと、上端が開口した下部ケース１０１Ｂとからなっていて、上部ケース１０１Ａの下端に下部ケース１０１Ｂの上端を嵌合させて、両ケース１０１Ａ，１０１Ｂを、ボルト及びナットからなる締結手段１０２で締結した連結部１０３により連結した構造を有する。このケース１０１は、その内圧が過度に上昇したときに、上部ケースと下部ケースとの連結部１０３を変形させて、両ケースの間に隙間を形成することにより、下部ケースを落下させることなく、内圧を開放する機能を有する。
【００３２】
上部ケース１０１Ａの相対する側壁には、区分点の両側の配電線が接続される３相のブッシング端子１０４ｕ〜１０４ｗ及び１０５ｕ〜１０５ｗが取り付けられている。ブッシング端子１０４ｕ〜１０４ｗ及び１０５ｕ〜１０５ｗは、、装柱された状態でそれぞれの軸線が水平方向に向くように配置されて、それぞれの基部が上部ケース１０１Ａの相対する側壁を貫通した状態で、ケース１０１に取り付けられている。ブッシング端子１０４ｕ〜１０４ｗ及び１０５ｕ〜１０５ｗの中心導体は、ケース１０１内で、図１には示されていない電磁スイッチを通して相互に接続されている。
【００３３】
上部ケース１０１Ａの前面側の側壁の下部には、開閉器側メタルコンセントとして、開閉器側計測用メタルコンセント１１１と、開閉器側操作用メタルコンセント１１２とが取り付けられている。これらのメタルコンセントはいずれもレセプタクルからなっていて、金属製のコンセントハウジング内に、ケース１０１内に収容された構成要素につながる多数の端子（雄端子またな雌端子）からなる端子群を備えた構造を有している。開閉器側計測用メタルコンセント１１１及び開閉器側操作用メタルコンセント１１２にはそれぞれ、開閉器１の近傍に装柱された図示しない開閉器子局に一端が接続された計測用ケーブル及び操作用ケーブルの他端に接続されたメタルコンセントのプラグが接続され、これら計測用ケーブル及び操作用ケーブルを通して、開閉器１と図示しない開閉器子局との間が接続される。計測用ケーブルは、センサの信号を伝送するのに適したシールド被覆を有するケーブルであり、操作用ケーブルは、電源トランスから開閉器子局に供給する電流や、開閉器子局から操作回路に供給する電流を損失なく流すことができるケーブルである。
【００３４】
開閉器側計測用メタルコンセント１１１は、ケース１０１内に収容されたセンサの出力を取り出して開閉器子局に与えるために設けられたものである。このメタルコンセント１１１に設けられた端子群には、ケース１０１内に収容された零相変流器、零相電圧変成器及び過電流検出用変流器のそれぞれの出力端子が、所定の配線を通して接続されている。
【００３５】
開閉器側操作用メタルコンセント１１２は、電磁スイッチの投入コイルへの励磁電流の供給を制御する操作回路を開閉器子局に接続すると共に、区分点の両側の配電線の２相間の電圧を降圧して、子局に電源電圧と区分点の両側の配電線電圧の情報とを与える単相の第１及び第２の電源トランスの出力端子を開閉器子局に接続するために設けられたもので、このメタルコンセント１１２に設けられた端子群には、ケース１０１内に収容された操作回路と、第１及び第２の電源トランスの出力端子とが接続されている。
【００３６】
本実施形態では、開閉器のケース１０１内に第１及び第２の電源トランスが収容されているが、開閉器によっては、これらの電源トランスが、ケース１０１の外部に配置される場合もある。電源トランスがケース１０１の外部に配置される場合には、開閉器側操作用メタルコンセント１１２として、電磁スイッチの操作回路が接続された端子群のみを備えたものが用いられる。即ち、開閉器のケース内に電源トランスが収容される場合と、収容されない場合とで、開閉器側操作用メタルコンセント１１２の端子数が相違する。
【００３７】
上記のように、定常時には、開閉器１のケース１０１に取り付けられたメタルコンセント１１１及び１１２に開閉器子局につながる計測用ケーブル及び操作用ケーブルが接続されているが、開閉器１の検査を行う際には、開閉器１のメタルコンセント１１１及び１１２に、開閉器子局に代えて、本発明に係わる検査装置２を、第１及び第２の検査用ケーブル３及び４を通して接続する。
【００３８】
第１の検査用ケーブル３は、開閉器１内のセンサと開閉器子局との間を接続するために用いる計測用ケーブルと同様に、センサの信号を伝送するのに適したケーブルであり、第２の検査用ケーブル４は、開閉器１内の電源トランス及び操作回路と開閉器子局との間を接続するために用いる操作用ケーブルと同様に、電源トランスから開閉器子局に供給する電流や、開閉器子局から操作回路に供給する電流を大きな損失を生じさせることなく流すのに適したケーブルである。検査装置２を開閉器１に接続する際に用いる第１及び第２の検査用ケーブル３及び４としては、開閉器１と開閉器子局との間を接続していた計測用ケーブル及び操作用ケーブルをそのまま用いるようにしてもよく、検査装置２を接続するために用意された専用のケーブルを用いるようにしてもよい。
【００３９】
図１ないし図３に示された検査装置２は、開閉器側メタルコンセント１１１及び１１２の各端子に対応する端子からなる端子群を有して、開閉器子局が外された状態で開閉器側メタルコンセント１１１及び１１２に検査用ケーブル３及び４を通して接続される検査側メタルコンセント２０１及び２０２と、ピン状の一対の測定端子２１１，２１２を有して、測定モードを少なくとも電圧測定モードと抵抗値測定モードとに切換えることが可能なテスタ２１０と、テスタ２１０の一対の測定端子２１１，２１２と検査側メタルコンセント２０１，２０２の端子群との間に設けられて、テスタ２１０の一対の測定端子２１１，２１２を検査側メタルコンセント２０１，２０２と検査用ケーブル３，４と開閉器側メタルコンセント１１１，１１２とを通して開閉器１のケース内の複数の検査対象物のそれぞれの両端に切換え接続するべく、一対の測定端子２１１，２１２と検査側メタルコンセント２０１，２０２の端子群との間の接続を切り換える切換えスイッチ２２０とを、共通のフレーム２３０に支持した構造を有する。
【００４０】
検査装置２に設けられた検査側メタルコンセント２０１，２０２のうち、２０１は開閉器側計測用メタルコンセント１１１に対応する検査側計測用メタルコンセントであり、２０２は、開閉器側操作用メタルコンセント１１２に対応する及び検査側操作用メタルコンセントである。本実施形態では、検査側操作用メタルコンセント２０２として、検査の対象とする開閉器１のケース１０１内に、配電線の２相間の電圧を取り込む電源トランスが内蔵される場合に開閉器１のケースに取り付けられる開閉器側操作用メタルコンセント１１２に対応する第１の検査側操作用メタルコンセント２０２Ａと、検査の対象とする開閉器１のケース１０１内に、配電線の２相間の電圧を取り込む電源トランスが内蔵されない場合に開閉器１のケース１０１に取り付けられる開閉器側操作用メタルコンセント１１２に対応する第２の検査側操作用メタルコンセント２０２Ｂとの２つの検査側操作用メタルコンセントが設けられている。開閉器１に電源トランスが内蔵されているか否かに応じて、第１及び第２の検査側操作用メタルコンセント２０２Ａ及び２０２Ｂの何れかが使用される。本実施形態では、開閉器１のケース１０１内に電源トランスが内蔵されているので、第１の検査側操作用メタルコンセント２０２Ａが使用される。使用しない方の検査側操作用メタルコンセント２０２Ｂには、端子群を保護するカバー２０５を取り付けておく。
【００４１】
テスタ２１０は、直方体状のハウジング２１３内に測定回路を収容した汎用のテスタで、ハウジング２１３の表面には、測定モードを切換える際に操作される回転型の切換えレバー２１４と、計測値をデジタル表示する液晶ディスプレイパネル２１５とが設けられ、ハウジング２１３の長手方向の一端からコード２１６，２１７を通して一対の測定端子２１１，２１２が導出されている。
【００４２】
図示のフレーム２３０は、直方体状を呈する第１の箱状部分２３０ａと、この第１の箱状部分２３０ａに隣接する位置に、該第１の箱状部分よりも大きな厚み寸法を持って形成された第２の箱状部分２３０ｂとを一体に有して、第１の箱状部分２３０ａと第２の箱状部分２３０ｂとの間に段差２３０ｃを形成した中空の箱体からなっている。図示のフレーム２３０においては、第１の箱状部分２３０ａと第２の箱状部分２３０ｂとの間にテスタ２１０を収容する凹所が形成されていて、この凹所にテスタ２１０が配置され、テスタ２１０に外嵌めされたコの字形の固定金具２３１の両端がネジ２３２によりフレーム２３０に締結されることにより、テスタ２１０がフレーム２３０に、着脱が可能な状態で固定されている。このようにテスタ２１０をフレームに取り付けた状態で、テスタ２１０のハウジングの表面とフレーム２３０の第２の部分２３０ｂの表面２３０b1とがほぼ面一をなすように、フレーム２３０の第１の部分２３０ａと第２の部分２３０ｂとの間の段差２３０ｃの高さが設定されている。
【００４３】
フレーム２３０の第１の箱状部分２３０ａの端部には、テスタ２１０の一対の測定端子（ピン状の端子）２１１及び２１２が接続される一対の雌型のコネクタ（特に図示せず。）が取り付けられ、テスタの一対の測定端子２１１，２１２がこれらのコネクタを通して、フレーム２３０内で切換えスイッチ２２０に接続されるようになっている。
【００４４】
フレーム２３０の第２の箱状部分２３０ｂの表面２３０b1側に検査側メタルコンセント２０１が取り付けられ、第２の箱状部分２３０ｂの第１の箱状部分２３０ａと反対側の端面側に検査側操作用メタルコンセント２０２Ａ及び２０２Ｂが取り付けられている。
【００４５】
電柱上のような高所での点検作業を行う際には、作業者の両手を空けるために、点検装置２を作業者の首から吊下げておくのが好ましい。そのため、図示の例では、フレーム２３０の第２の箱状部分２３０ｂ側の端部に、作業者が検査装置２を首から吊下げる際に用いる吊り紐２４０が取り付けられている。
【００４６】
切換えスイッチ２２０は、カムの回転に伴って多数の接点を開閉する手動操作型のカムスイッチからなっていて、カムの操作軸をフレーム２３０の第２の箱状部分２３０ｂの表面から外部に突出させた状態でフレーム２３０に取り付けられ、その操作軸に操作レバー２２１が取り付けられている。切換えスイッチ２２０の操作レバー（操作部）２２１の近傍には、切換えスイッチ２２０が各切換え位置にあるときにテスタ２１０の測定端子に接続されることになる検査対象物の種別を示す表示が設けられている。図示の例では、フレーム２３０の第２の箱状部分２３０ｂの表面に表示パネル２２２が貼り付けられていて、操作レバー２２１が各切換え位置にあるときに操作レバー２２１の先端が指し示す位置に位置させて、表示パネル２２２上に、各切換え位置でテスタの測定端子に接続されることになる検査対象物の種別を示す表示（ＺＣＴ，ＺＰＤ、ＣＴ等の表示）が印刷されている。
【００４７】
後述するように、本実施形態では、切換えスイッチ２２０が、テスタの一方の測定端子２１１を検査側メタルコンセント２０１及び２０２Ａの端子群に切換え接続する第１の切換えスイッチエレメントと、テスタの他方の測定端子２１２を検査側メタルコンセント２０１及び２０２Ａの端子群に切換え接続する第２の切換えスイッチエレメントとからなっていて、これらのスイッチエレメントが連動して切換え動作を行うことにより、テスタ２１０の一対の測定端子２１１，２１２を、検査側メタルコンセント２０１，２０２と検査用ケーブル３，４と開閉器側メタルコンセント１１１，１１２とを通して開閉器のケース内の複数の検査対象物のそれぞれの両端に切換え接続するべく、一対の測定端子２１１，２１２と、検査側メタルコンセント２０１，２０２の端子群との間の接続を切り換える。
【００４８】
次に図４を参照して、開閉器１の電気的な構成と、切換えスイッチ２２０と、該切換スイッチの接点をテスタ２１０の測定端子２１１，２１２が接続されるコネクタと検査側メタルコンセントの端子群とに接続する配線とにより、フレーム２３０の内側に構成される切換え回路の構成を説明する。
【００４９】
図４に示された開閉器１は、負荷電流を開閉するスイッチとして、三相の電磁スイッチ１０ｕ，１０ｖ及び１０ｗを備えている。これらのスイッチはケース１０１内に配置されていて、それぞれの一端は、配線１１ｕ、１１ｖ及び１１ｗとブッシング端子１０４ｕ，１０４ｖ及び１０４ｗとを通して区分点の両側の配電線のうちの一方の配電線に接続される。また電磁スイッチ１０ｕ，１０ｖ及び１０ｗの他端は、配線１２ｕ、１２ｖ及び１２ｗとブッシング端子１０５ｕ，１０５ｖ及び１０５ｗとを通して区分点の両側の配電線のうちの他方の配電線に接続される。
【００５０】
配線１１ｕ〜１１ｗには、零相変流器ＺＣＴが取り付けられ、このＺＣＴの一端はケース１０１内に設けられたアースライン１３に接続されている。また配線１２ｕ〜１２ｗには、零相電圧変成器ＺＰＤが接続され手いる。ＺＰＤは、一端が配線１２ｕ〜１２ｗに接続され、他端が共通接続されたコンデンサＣu，Ｃv，Ｃwと、コンデンサＣuないしＣwの共通接続点とアースライン１３との間に接続されたコンデンサＣ1とからなるコンデンサ分圧回路と、コンデンサＣ1の両端に一次コイルが接続された計器用電圧変成器ＰＴとからなっていて、その二次コイルの一端はアースライン１３に接続されている。
【００５１】
過電流を検出するため、Ｕ相及びＷ相の配電線を流れる電流を検出する過電流検出用変流器ＣＴu及びＣＴwが配線１２ｕ及び１２ｗに装着され、これらの変流器の一端は、アースライン１３に接続されている。
【００５２】
ケース１０１内にはまた、電磁スイッチ１０ｕないし１０ｗの両側で、配電線の２相間の電圧を取り込む第１の電源トランスＴＲ1及び第２の電源トランスＴＲ2と、電磁スイッチ１０ｕないし１０ｗを投入する際に励磁される投入コイル４２Ｃと、電磁スイッチ１０ｕないし１０ｗの投入が完了した時に励磁される保持コイル４２Ｈと、電磁スイッチ１０ｕないし１０ｗがオン状態にされたとき及びオフ状態にされたときにそれぞれ機械的にオン状態及びオフ状態にされる常開形の補助接点４２ａと、電磁スイッチ１０ｕないし１０ｗがオン状態にされたとき及びオフ状態にされたときにそれぞれ機械的にオフ状態及びオン状態にされる常閉形の補助接点４２ｂとが収容されている。補助接点４２ａは、常に電磁スイッチ１０ｕ〜１０ｗと同じ状態をとる接点で、電磁スイッチ１０ｕ〜１０ｗの状態を検出するために設けられている。
【００５３】
第１の電源トランスＴＲ1の一次コイルは、Ｕ相及びＷ相の配電線につながる配線１１ｕ及び１１ｗに接続され、第２の電源トランスＴＲ2の一次コイルは、Ｕ相及びＷ相の配電線につながる配線１２ｕ及び１２ｗに接続されている。第１の電源トランスＴＲ1及び第２の電源トランスＴＲ2の二次コイルの一端はアースライン１３に接続されている。
【００５４】
図示の例ではまた、ケース１０１内に、配線１１ｕないし１１ｗとアースライ１３との間、及び配線１２ｕないし１２ｗとアースライン１３との間に接続された避雷器ＬＡが収容されている。アースライン１３は、アース線１４を通して接地される。
【００５５】
開閉器のケース１０１には、開閉器側計測用メタルコンセント１１１と、開閉器側操作用メタルコンセント１１２とが取り付けられている。開閉器側計測用メタルコンセント１１１は、丸数字の１ないし７で端子番号を付して示した１番から７番までの７個の端子からなる端子群を備えていて、この開閉器側計測用メタルコンセント１１１の１番の端子がアースライン１３に接続され、２番の端子及び３番の端子がそれぞれ変流器ＣＴwの非接地側の端子及び変流器ＣＴuの非接地側端子に接続されている。また開閉器側計測用メタルコンセント１１１の４番の端子及び５番の端子はそれぞれ、ＺＣＴの非接地側端子及びＺＰＴの非接地側出力端子に接続され、開閉器側計測用メタルコンセント１１１の６番の端子及び７番の端子は、アースライン１３に接続されている。
【００５６】
開閉器側操作用メタルコンセント１１２は、丸数字の１ないし７で端子番号を付して示した１番から７番までの７個の端子からなる端子群を備えていて、このメタルコンセントの１番の端子には保持コイル４２Ｈと接点４２ｂとの並列回路の一端が接続され、２番の端子には接点４２ａの一端が接続されている。メタルコンセント１１２の３番の端子には、投入コイル４２Ｃの保持コイル４２Ｈと反対側の端子が接続され、４番の端子に接点４２ａの他端が接続されている。即ち、１番の端子ないし４番の端子に電磁スイッチの操作回路が接続されている。
【００５７】
開閉器側操作用メタルコンセント１１２の５番の端子及び６番の端子はそれぞれ、電源トランスＴＲ1の二次コイルの非接地側端子及び電源トランスＴＲ2の二次コイルの非接地側端子に接続され、７番の端子は、アースライン１３に接続されている。
【００５８】
図４に示されたメタルコンセント１１２′は、ケース１０１内に電源トランスＴＲ1及びＴＲ2が設けられない場合に、メタルコンセント１１２に代えてケース１０１に取り付けられる開閉器側操作用メタルコンセントである。このメタルコンセント１１２′は、電源トランスＴＲ1及びＴＲ2に接続される５番ないし７番の端子を必要としないため、１番の端子ないし４番の端子のみを有している。メタルコンセント１１２に代えてメタルコンセント１１２′がケース１０１に取り付けられる場合、メタルコンセント１１２′の１番の端子ないし４番の端子は、図４においてメタルコンセント１１２の１番の端子ないし４番の端子が接続されている箇所と同じ箇所に接続される。
【００５９】
検査装置２のフレーム２３０には、検査側計測用メタルコンセント２０１と、検査側操作用メタルコンセント２０２Ａと、第２の検査側操作用メタルコンセント２０２Ｂとが取り付けられている。検査側計測用メタルコンセント２０１は、開閉器側計測用メタルコンセント１１１の１番の端子から６番の端子にそれぞれ対応する１番から６番の端子を有しており、第１の検査側操作用メタルコンセント２０２Ａは、開閉器側操作用メタルコンセント１１２の１番から７番の端子にそれぞれ対応する１番ないし７番の端子を有している。また開閉器のケール内に電源トランスＴＲ1及びＴＲ2が内蔵されない場合に使用される第２の検査側操作用メタルコンセント２０２Ｂは、電源トランスＴＲ1及びＴＲ2に接続される端子群を必要としないため、１番ないし４番の端子のみを有している。
【００６０】
切換えスイッチ２２０は、互いに連動して切換え動作を行う第１の切換えスイッチエレメント２２０Ａと、第２の切換えスイッチエレメント２２０Ｂとを有している。各切換えスイッチエレメントは、図において１番の番号が付された可動接点と、２ないし９の番号が付された２番ないし９番の固定接点とを有していて、操作レバー２２１を回転させることにより、可動接点を２番ないし９番の固定接点に接触させることができるようになっており、操作レバー２２１が各切換え位置にあるときに、テスタの一対の測定端子２１１及び２１２が、検査側メタルコンセント２０１，２０２と検査用ケーブル３，４と開閉器側メタルコンセントと１１１，１１２とを通して同じ検査対象物の一端及び他端に電気的に接続されるようになっている。
【００６１】
第１及び第２の切換えスイッチエレメント２２０Ａ及び２２０Ｂの可動接点はそれぞれテスタの測定端子２１１及び２１２に接続されている。第１の切換えスイッチエレメント２２０Ａの２番ないし４番の固定接点は検査側計測用メタルコンセント２０１の１番の端子に共通接続され、第１の切換えスイッチエレメント２２０Ａの５番の固定接点は検査側計測用メタルコンセント２０１の６番の端子に接続されている。また第１の切換えスイッチエレメント２２０Ａの６番の固定接点及び７番の固定接点はそれぞれ、第１の検査側操作用メタルコンセント２０２Ａの３番の端子及び４番の端子に接続され、８番及び９番の固定接点は、第１の検査側操作用メタルコンセント２０２Ａの７番の端子に共通接続されている。
【００６２】
また第２の切換えスイッチエレメント２２０Ｂの２番ないし５番の固定接点はそれぞれ、検査側計測用メタルコンセント２０１の２番ないし５番の端子に接続され、第２の切換えスイッチエレメント２２０Ｂの６番の固定接点及び７番の固定接点はそれぞれ第１の検査側操作用メタルコンセント２０２Ａの１番の端子及び２番の端子に接続されている。第２の切換えスイッチエレメント２０２Ａの８番の固定接点及び９番の固定接点はそれぞれ第１の検査側操作用メタルコンセント２０２Ａの５番の端子及び６番の端子に接続されている。
【００６３】
第２の検査側メタルコンセント２０２Ｂの１番の端子ないし４番の端子はそれぞれ第１の検査側メタルコンセント２０２Ａの１番の端子ないし４番の端子に接続されている。
【００６４】
開閉器側計測用メタルコンセント１１１と、検査側計測用メタルコンセント２０１との間を接続する検査用ケーブル３は、絶縁被覆された６本の線心をシールド被覆したケーブルからなっていて、検査用ケーブル３の一端及び他端にはそれぞれ開閉器側計測用メタルコンセント１１１及び検査側計測用メタルコンセント２０１に接続されるプラグ３０１及び３０２が接続されている。プラグ３０１は、開閉器側計測用メタルコンセント１１１の１番ないし７番の端子にそれぞれ対応する１番ないし７番の端子を有し、プラグ３０２は、検査側計測用メタルコンセント２０１の１番ないし６番の端子に対応する１番ないし６番の端子を備えている。プラグ３０１の１番ないし６番の端子はそれぞれ検査用ケーブル３の６本の線心を通してプラグ３０２の１番ないし６番の端子に接続され、プラグ３０１の７番の端子はケーブル３のシールド被覆に接続されている。
【００６５】
開閉器側操作用メタルコンセント１１２と、第１の検査側操作用メタルコンセント２０２Ａとの間を接続する検査用ケーブル４は、絶縁被覆された７本の線心を有するケーブルからなっていて、検査用ケーブル４の一端及び他端にはそれぞれ開閉器側操作用メタルコンセント１１２及び第１の検査側操作用メタルコンセント２０２Ａに接続されるプラグ４０１及び４０２が接続されている。プラグ４０１は、開閉器側操作用メタルコンセント１１２の１番ないし７番の端子にそれぞれ対応する１番ないし７番の端子を備え、プラグ４０２は、検査側操作用メタルコンセント２０２Ａの１番ないし７番の端子にそれぞれ対応する１番ないし７番の端子を備えている。プラグ４０１の１番ないし７番の端子はそれぞれ検査用ケーブル４の７本の線心を通してプラグ４０２の１番ないし７番の端子に接続されている。
【００６６】
検査対象とする開閉器が、電源トランスＴＲ1及びＴＲ2を内蔵していないために、１番ないし７番の端子を有する開閉器側操作用メタルコンセント１１２に代えて、１番ないし４番の端子を有する開閉器側操作用メタルコンセント１１２′が開閉器のケース１０１に取り付けられている場合には、メタルコンセント１１２′の１番ないし４番の端子にそれぞれ対応する１番ないし４番の端子を有するプラグ４０１′を一端に接続し、第２の検査側操作用メタルコンセント２０２Ｂの１番ないし４番の端子にそれぞれ対応する１番ないし４番の端子を有するプラグ４０２′を他端に接続した４心の検査用ケーブル４′を用いて、プラグ４０１′及び４０２′をそれぞれメタルコンセント１１２′及び２０２Ｂに接続することにより、開閉器内の操作回路を検査装置２に接続する。
【００６７】
検査側計測用メタルコンセント２０１の１番の端子と２番の端子との間及び１番の端子と３番の端子との間にはそれぞれ開閉器側メタルコンセント１１１と検査側計測用メタルコンセント２０１との間を検査用ケーブル３により接続した際に変流器ＣＴw及びＣＴuの出力端子間にそれぞれ接続される負担抵抗Ｒ1及びＲ2が接続され、検査側計測用メタルコンセント２０１の１番の端子と４番の端子との間には、開閉器側メタルコンセント１１１と検査側計測用メタルコンセント２０１との間を検査用ケーブル３により接続した際にＺＣＴの出力端子間に接続される負担抵抗Ｒ3が接続されている。また検査側計測用メタルコンセント２０１の５番の端子と６番の端子との間には、開閉器側メタルコンセント１１１と検査側計測用メタルコンセント２０１との間を検査用ケーブル３により接続した際に零相電圧変成器ＺＰＤの２次コイル間に接続される負担抵抗Ｒ4が接続されている。上記負担抵抗Ｒ1ないしＲ4の抵抗値の一例を挙げると、Ｒ1＝Ｒ2＝５Ω、Ｒ3＝１００Ω、Ｒ4＝６３０Ωである。
【００６８】
本実施形態では、開閉器１のケース１０１内に収容された構成要素のうち、零相変流器ＺＣＴと、零相電圧変成器ＺＰＤと、変流器ＣＴu，ＣＴｗと、第１及び第２の電源トランスＴＲ1及びＴＲ2と、接点４２ａ，４２ｂ、投入コイル４２Ｃ及び保持コイル４２Ｈにより構成される操作回路とを検査対象物として、これらの検査対象物を切換えスイッチ２２０によりテスタ２１０の測定端子２１１，２１２の間に接続することにより検査を行う。
【００６９】
変流器ＣＴｗを検査対象物とする場合には、切換えスイッチエレメント２２０Ａ及び２２０Ｂの可動接点を２番の固定接点に接触させて、変流器ＣＴｗの出力端子をテスタ２１０の測定端子間に接続し、テスタの測定モードを電圧測定モードとして、変流器ＣＴｗの出力電圧(負担抵抗Ｒ1の両端の電圧）を測定する。また変流器ＣＴuを検査対象物とする場合には、切換えスイッチエレメント２２０Ａ及び２２０Ｂの可動接点を３番の固定接点に接触させて、変流器ＣＴuの出力端子をテスタ２１０の測定端子間に接続し、テスタの測定モードを電圧測定モードとして、変流器ＣＴuの出力電圧(負担抵抗Ｒ2の両端の電圧）を測定する。
【００７０】
零相変流器ＺＣＴを検査対象物とする場合には、切換えスイッチエレメント２２０Ａ及び２２０Ｂの可動接点を４番の固定接点に接触させて、零相変流器の出力端子をテスタ２１０の測定端子間に接続し、テスタの測定モードを電圧測定モードとして、零相変流器の出力電圧(負担抵抗Ｒ3の両端の電圧）を測定する。
【００７１】
零相電圧変成器ＺＰＤを検査対象物とする場合には、切換えスイッチエレメント２２０Ａ及び２２０Ｂの可動接点を５番の固定接点に接触させて、零相電圧変成器に出力端子をテスタの測定端子間に接続し、テスタの測定モードを電圧測定モードとして、零相電圧変成器の出力電圧(負担抵抗Ｒ4の両端の電圧）を測定する。
【００７２】
配電線が停電状態にある場合には、変流器ＣＴu，ＣＴｗ、零相変流器ＺＣＴ及び零相電圧変成器ＺＰＤをそれぞれ検査する際に、テスタの測定モードを抵抗測定モードとして、それぞれの巻線抵抗をそれぞれの負担抵抗との合成抵抗として測定することもできる。
【００７３】
操作回路の検査を行う場合には、配電線の停電時に切換えスイッチエレメント２２０Ａ及び２２０Ｂの可動接点を６番の固定接点に接触させて、保持コイル４２Ｈ及び接点４２ｂの並列回路と投入コイル４２Ｃとの直列回路をテスタの測定端子間に接続し、接点４２ｂを閉じた状態と開いた状態とで抵抗値の測定を行うことにより、接点４２ｂ、投入コイル４２Ｃ及び保持コイル４２Ｈの状態をチェックする。また切換えスイッチエレメント２２０Ａ及び２２０Ｂの可動接点を７番の固定接点に接触させて接点４２ａをテスタの測定端子間に接続した状態で抵抗値の測定を行うことにより接点４２ａの状態をチェックする。配電線に電圧が印加されている状態でも、接点４２ａの両端の電圧を測定することにより、接点４２ａの状態をチェックすることができ、投入コイル４２Ｃと保持コイル４２Ｈの両端の電圧を測定することにより、これらのコイルの状態をチェックすることができる。なお接点４２ａ，４２ｂのオンオフは、配電線が停電している状態にあれば、開閉器に設けられている手動操作ハンドル１０６を操作することにより強制的に行わせることができる。
【００７４】
第１の電源トランスＴＲ1を検査する場合には、切換えスイッチエレメント２２０Ａ及び２２０Ｂの可動接点を８番の固定接点に接触させて、トランスＴＲ1の２次巻線をテスタの測定端子間に接続し、テスタの測定モードを電圧測定モードとして、トランスＴＲ1の出力電圧をチェックする。第２の電源トランスＴＲ2を検査する場合には、切換えスイッチエレメント２２０Ａ及び２２０Ｂの可動接点を９番の固定接点に接触させて、トランスＴＲ2の２次巻線をテスタの測定端子間に接続し、テスタの測定モードを電圧測定モードとして、トランスＴＲ2の出力電圧をチェックする。
【００７５】
電源トランスが内蔵されていない開閉器の検査を行う場合には、当該開閉器のケースに取り付けられている開閉器側計測用メタルコンセント３０１及び開閉器側操作用メタルコンセント１１２′をそれぞれ検査装置２に設けられている検査側計測用メタルコンセント２０１及び検査側操作用メタルコンセント２０２Ｂに検査用ケーブル３及び４′を通して接続することにより、電源トランスのチェック以外の検査を行う。
【００７６】
上記のように、検査側操作用メタルコンセント２０２としては、第１及び第２の検査側操作用メタルコンセント２０２Ａ及び２０２Ｂを設けることが好ましいが、本発明は、検査側操作用メタルコンセント２０２として、第１及び第２の検査側操作用メタルコンセント２０２Ａ及び２０２Ｂの双方を設ける場合に限定されるものではなく、第１の検査側操作用メタルコンセント２０２Ａまたは第２の検査側操作用メタルコンセント２０２Ｂのいずれか一方のみを設けるようにしてもよい。
【００７７】
上記の実施形態では、検査側メタルコンセントをフレーム２３０に直接支持しているが検査側メタルコンセントをケーブルを介してフレーム２３０に支持する(フレーム２３０内の回路から引き出されたケーブルの端部に検査側メタルコンセントを取り付ける）ようにしてもよい。
【００７８】
上記の実施形態では、切換えスイッチとして回転操作型のものを用いたが、各検査対象物に対応する押ボタンを備えた押ボタン式の切換えスイッチを用いることもできる。
【符号の説明】
【００７９】
１  配電線用開閉器
２  検査装置
３  検査用ケーブル(検査側計測用ケーブル）
４  検査用ケーブル(検査側操作用ケーブル）
１０１  開閉器のケース
１１１  開閉器側計測用メタルコンセント(開閉器側メタルコンセント）
１１２  開閉器側操作用メタルコンセント(開閉器側メタルコンセント）
２０１  検査側計測用メタルコンセント(検査側メタルコンセント）
２０２  検査側操作用メタルコンセント(検査側メタルコンセント）
２０２Ａ  第１の検査側操作用メタルコンセント(検査側メタルコンセント）
２０２Ｂ  第２の検査側操作用メタルコンセント(検査側メタルコンセント）
２１０  テスタ
２１１  テスタの一方の測定端子
２１２  テスタの他方の測定端子
２２０  切換えスイッチ
２２０Ａ  第１の切り換えスイッチエレメント
２２０Ｂ  第２の切換えスイッチエレメント
２３０  検査装置のフレーム
【図１】
2011214929.tif 000003
【図２】
2011214929.tif 000004
【図３】
2011214929.tif 000005
【図４】
2011214929.tif 000006